(57)【要約】【課題】スタンバイ動作モードを有している信号処理装置、特に、携帯型情報端末機器に電源オフモードを追加することにより、さらに省電力効果の高い信号処理装置を提供する。【解決手段】スタンバイ動作モードでのみ機能する電圧オフ制御ユニット５００は、ユーザの操作環境を検出するセンサ５０１を有している。センサ５０１の検出結果から電圧オフ制御ユニット５００が電源オフモードにすべきと判断した場合には、電圧制御ユニット３００に電源オフモードを要求する。電源オフモード要求を受けた電圧制御ユニット３００は、システムＬＳＩ２００に供給する電圧を遮断することで、スタンバイ動作モードに対してさらなる省電力効果が得られる。【選択図】図２
2005004522.tif 000002
【特許請求の範囲】
【請求項１】
通常動作モードまたはスタンバイ動作モードで動作する信号処理手段と、
前記信号処理手段に、通常動作モードまたはスタンバイ動作モードに応じた電圧をバッテリから給電する給電制御手段と、
前記信号処理手段がスタンバイ動作モードに移行した時、前記給電制御手段を介して給電され動作し、前記信号処理手段のスタンバイ状態から電源オフモードにするか否かを検出する電源オフ検出手段と
を有し、
前記給電制御手段は、前記電源オフ検出手段が電源オフモードを検出した時、前記信号処理手段への給電を全て停止する
省電力型信号処理装置。
【請求項２】
前記信号処理手段は、前記電源オフ検出手段に対し、前記電源オフモードを検出するための条件を定めた検出条件設定信号を送信し、
前記電源オフ検出手段は、受信した前記検出条件設定信号に応じて電源オフモードを検出する
請求項１に記載の省電力型信号処理装置。
【請求項３】
前記電源オフモードを検出するための条件は、スタンバイ動作モード状態に移行してから、前記電源オフ検出手段が電源オフモードにすることを所定時間検出したときである
請求項２に記載の省電力型信号処理装置。
【請求項４】
前記信号処理手段は、中央演算処理装置を内蔵した大規模集積回路である
請求項１に記載の省電力型信号処理装置。
【請求項５】
前記電源オフ検出手段は光センサであり、前記光センサが所定時間物体を検出した場合に、電源オフモードを検出したとする
請求項４に記載の省電力型信号処理装置。
【請求項６】
前記電源オフ検出手段は赤外線センサであり、前記赤外線センサが所定時間物体を検出した場合に、電源オフモードを検出したとする
請求項４に記載の省電力型信号処理装置。
【請求項７】
前記電源オフ検出手段は温度センサであり、前記温度センサが所定時間検出温度が一定範囲の場合に、電源オフモードを検出したとする
請求項４に記載の省電力型信号処理装置。
【請求項８】
前記電源オフ検出手段は２つの温度センサを有し、
前記２つの温度センサのうち、１の温度センサの検出温度と他の温度センサの検出温度の差が所定時間一定のレベル以下の場合に、電源オフモードを検出したとする
請求項４に記載の省電力型信号処理装置。
【請求項９】
通常動作モードまたはスタンバイ動作モードに応じた電圧をバッテリから給電し、信号処理を行う省電力型信号処理方法であって、
スタンバイ動作モードに移行した時、前記スタンバイ状態から電源オフモードにするか否かを検出し、
前記電源オフモードを検出した時、給電を全て停止する
省電力型信号処理方法。
【請求項１０】
前記電源オフモードを検出する条件を定めた検出条件設定情報を受け、スタンバイ状態から電源オフモードにするか否かを検出する
請求項９に記載の省電力型信号処理方法。
【発明の詳細な説明】
【０００１】
【発明の属する技術分野】
本発明は省電力型信号処理装置および方法に関する。
【０００２】
【従来の技術】
バッテリで動作する信号処理装置においては、節電および省電力化が重要である。
コンピュータを内蔵した従来の省電力型信号処理装置として、アプリケーションプログラムが実質的に動作しない場合等に、内部の中央演算処理装置（ＣＰＵ）のクロックの周波数を低下させ、必要最小限の部分のみ低周波数のクロックで動作させるように、通常の信号処理状態（以下、通常動作モード）からシステムの状態をいわゆるスタンバイ動作モードに移行させ、低消費電力を実現している。
【０００３】
図１は、スタンバイ動作モードを用いた従来のコンピュータを内蔵した省電力型信号処理装置１のシステム構成の一例を図解した図である。
省電力型信号処理装置１は、システムＬＳＩ２と、電圧制御ユニット３と、バッテリ４とからなる。システムＬＳＩ２はＣＰＵを含み、信号処理装置本来の機能を司る部分である。システムＬＳＩ２は電圧制御ユニット３に接続され、バッテリ４から電圧制御ユニット３により制御された電圧が、電圧線Ｖ３２を通して供給されている。電圧制御ユニット３はバッテリ４に電圧線Ｖ４３により接続され、システムＬＳＩ２のシステム作動電圧を制御している。バッテリ４は電源ユニットである。
システムＬＳＩ２は、通常動作モードの時に機能する通常動作モード時機能部２１とスタンバイ動作モードの時に機能するスタンバイ動作モード時機能部２２を有している。入力処理部、タイマ等はスタンバイ動作モード時機能部２２に含まれている。また、必要に応じて、システムＬＳＩ２から電圧制御ユニット３へ電源モード要求を信号線Ｓ２３により通知する。電源モード要求とは、システムＬＳＩ２から電圧制御ユニット３への電源の動作モードの要求であり、通常動作モードとスタンバイ動作モード要求がある。
【０００４】
ここで、ユーザから一定期間、省電力型信号処理装置１に対して入力がないときにスタンバイ動作モードに移行し、再度ユーザから入力があったときに通常動作モードに復帰するという省電力機能を有している場合を例として、省電力型信号処理装置１の動作について以下説明する。一定時間ユーザからの省電力型信号処理装置１がないと判断したシステムＬＳＩ２は、通常動作モードからスタンバイ動作モードに移行するため、電圧制御ユニット３に対して電源モード要求によりスタンバイ動作モードを要求する。スタンバイ動作モード要求を受けた電圧制御ユニット３は、バッテリ４からの電圧を制御して供給するシステムＬＳＩ２のシステム作動電圧Ｖ＿ＳＹＳを電圧線Ｖ３２を通して低下させる。
システム作動電圧Ｖ＿ＳＹＳが低下すると、システムＬＳＩ２の中ではスタンバイ動作モード時機能部２２のみが機能する。例えば、タイマ、入力処理部などの常時必要な機能や通常動作モードへの復帰に必要な機能だけが確保される。低下したシステム作動電圧Ｖ＿ＳＹＳでは、ＣＰＵのクロック周波数が最低限必要な機能が確保できる程度にまで低下し、アプリケーションプログラム等は再起動に必要なデータをメモリに退避させた後、終了する。
【０００５】
次に、ユーザから省電力型信号処理装置１に入力があり、スタンバイ動作モードから通常動作モードに復帰する際の動作について説明する。
ユーザから入力があったことを内部の入力処理部等により判断したシステムＬＳＩ２は、電源モード要求Ｓ２３により、電圧制御ユニット３に通常動作モードを要求する。通常動作モード要求を受けた電圧制御ユニット３は、バッテリ４からの電圧を制御して電圧線Ｖ３２を通して供給するシステムＬＳＩ２のシステム作動電圧Ｖ＿ＳＹＳを増加させる。
システム作動電圧Ｖ＿ＳＹＳが増加すると、システムＬＳＩ２内の通常動作モード時機能部２１が機能復帰し、ＣＰＵのクロック周波数は回復する。ＣＰＵは、機能低下時に退避させたアプリケーションプログラムのデータ等をメモリからロードすることにより、システムＬＳＩ２は前回の通常動作モードのシステム状態に復帰する。
図１では、システムＬＳＩ２と電圧制御ユニット３は別モジュールとして表されているが、システムＬＳＩ２の中に機能の一部として電圧制御ユニット３を組み込み、システムＬＳＩ２の内部に電圧制御機能を有している例も従来技術の範囲内である。
【０００６】
【発明が解決しようとする課題】
しかしながら、上述の省電力型信号処理装置１はスタンバイ動作モードしか有しておらず、その間はスタンバイモード時機能部２２が機能しており、その間は電圧線Ｖ３２を通してバッテリが電流を消費しているため、さらなる省電力効果が要望される。特に、携帯情報端末機器などの小容量のバッテリ内蔵を前提とした機器についてその要望が強い。
従って、本発明は上記従来の問題点に鑑み、特にバッテリから電源供給され、省電力効果の高い省電力型信号処理装置を提供することを目的としている。
【０００７】
【課題を解決するための手段】
上記の目的を達成するため、本発明の省電力型信号処理装置は、通常動作モードまたはスタンバイ動作モードで動作する信号処理手段と、前記信号処理手段に、通常動作モードまたはスタンバイ動作モードに応じた電圧をバッテリから給電する給電制御手段と、前記信号処理手段がスタンバイ動作モードに移行した時、前記給電制御手段を介して給電され動作し、前記信号処理手段のスタンバイ状態から電源オフモードにするか否かを検出する電源オフ検出手段とを有し、前記給電制御手段は、前記電源オフ検出手段が電源オフモードを検出した時、前記信号処理手段への給電を全て停止することを特徴とする。
【０００８】
【発明の実施の形態】
以下、本発明の省電力型信号処理装置の実施の形態について、添付図面を参照して説明する。
【０００９】
第１の実施の形態
図２は、本発明に係る省電力型信号処理装置の第１の実施の形態を説明するための図である。
省電力型信号処理装置１００は、システムＬＳＩ２００と、電圧制御ユニット３００と、バッテリ４００とを有し、それぞれ図１のシステムＬＳＩ２、電圧制御ユニット３、バッテリ４に対応する。省電力型信号処理装置１００は、省電力型信号処理装置１と比較して電圧オフ制御ユニット５００をさらに有している。電圧オフ制御ユニット５００は、内部に省電力型信号処理装置１００の使用環境を検出するセンサ５０１を有している。
システムＬＳＩ２００はＣＰＵを有し、信号処理装置本来の機能を司る部分である。システムＬＳＩ２００は電圧制御ユニット３００に接続され、バッテリ４００から電圧制御ユニット３００により制御された電圧が電圧線Ｖ３２を通して供給されている。電圧制御ユニット３００は電圧線Ｖ４３を通してバッテリ４００に接続され、システムＬＳＩ２００に供給する電圧を制御している。バッテリ４は電源ユニットである。電圧オフ制御ユニット５００は、バッテリ４００から、電圧制御ユニット３００により制御された電圧を電圧線Ｖ３５を通して供給されている。
【００１０】
システムＬＳＩ２は、通常動作モードの時に機能する通常動作モード時機能部２０１とスタンバイ動作モードの時に機能するスタンバイ動作モード時機能部２０２を有しており、それぞれ図１の通常動作モード時機能部２１とスタンバイ動作モード時機能部２２に対応する。必要に応じて、システムＬＳＩ２から電圧制御ユニット３および電圧オフ制御ユニット５００へ電源モード要求を信号線Ｓ２３により通知する。ここで、電源モード要求とは、システムＬＳＩ２００から電圧制御ユニット３００への電源の動作モードの要求であり、通常動作モードとスタンバイ動作モード要求がある。
電圧オフ制御ユニット５００もシステムＬＳＩ２００から電源モード要求を受信し、スタンバイ動作モード要求を受信したときには自身を起動し、通常動作モード要求を受信したときにはいわゆるスリープモードとなるように、内部で制御される。従って、電圧オフ制御ユニット５００は、システムＬＳＩ２００がスタンバイ動作モードの時にのみ動作する。
システムＬＳＩ２００からスタンバイ動作モード要求を受けた電圧オフ制御ユニット５００では、センサ５０１が外部の環境を検出し、所定の条件に合致した場合には、電圧制御ユニット３００に電源オフモード要求を信号線Ｓ５３を介して行う。電源オフモードとは、電圧制御ユニット３００からシステムＬＳＩ２００への給電を全て停止する要求であり、電源オフモード要求を受けた電圧制御ユニット３００では、バッテリ４００からの電圧を制御し、システムＬＳＩ２００への給電を完全に停止する。
ここで、通常動作モードからスタンバイ動作モードへ移行およびスタンバイ動作モードから通常動作モードへの復帰については上述した従来技術と変わらないため、スタンバイ動作モードから電源オフモードへの移行について、以下、図２を用いて具体的に説明する。
【００１１】
一般に、携帯型情報処理端末機器においては、ユーザはその本体を手にとって操作するため、当該機器の適切な位置に、例えばフォトダイオードなどにより構成された光センサを設けることにより、ユーザが操作中なのか否かを検出することが可能である。ここでは、例えば、そのような光センサが電圧オフ制御ユニット５００内にあるセンサ５０１に適用され、すでに電圧オフ制御ユニット５００内に設定された所定の条件、例えば一定時間ユーザ（手）の存在を検出しない等とする条件に従って、ユーザが当該機器を使用しているか否かを電圧オフ制御ユニット５００が判断する。
ここで、システムＬＳＩ２００から電圧制御ユニット３００へ信号線Ｓ２３を通してスタンバイ動作モード要求があり、電圧制御ユニット３００がシステム作動電圧Ｖ＿ＳＹＳをスタンバイ動作モード用電圧に低下させた後に、電圧オフ制御ユニット５００は電圧制御ユニット３００から給電される。従って、通常動作モードの時には給電されず、不要な電流を消費しない。
センサ５０１の情報をもとに、ユーザがもはや省電力型信号処理装置１００を使用していないと判断した電圧オフ制御ユニット５００は、電圧制御ユニット３００に電源オフモードを要求する。電源オフモードを受けた電圧制御ユニット３００は、バッテリ４００からの電圧を制御し、電圧線Ｖ３２によるシステムＬＳＩ２００への給電を完全に停止する（システム作動電圧Ｖ＿ＳＹＳ＝０）。
給電が完全に停止されたシステムＬＳＩ２００は、もはやバッテリ４００からの電流を消費することがないため、スタンバイ動作モードのみを有する従来の省電力型信号処理装置１と比較して、さらなる省電力効果が得られる。
また、電圧線Ｖ３５による電圧オフ制御ユニット５００への電圧供給も、電圧制御ユニット３００により同時に遮断される。従って、電圧オフ制御ユニット５００において電圧線Ｖ３５を通して電流を消費することもない。
【００１２】
図３は、通常動作モードから電源オフモードまでの一連の動作をフローチャートにより図解した図である。
図３において、ＳＴＡＲＴ時には通常動作モードであった省電力型処理装置１は、例えば所定時間の間当該装置に対する入力がない場合に（ＳＴ３１）、システムＬＳＩ２００が信号線Ｓ２３を通して、スタンバイ動作モード要求を行う（ＳＴ３２）。スタンバイ動作モード要求を受けた電圧制御ユニット３００は電圧線Ｖ３２を通してシステムＬＳＩ２００への電圧を低下させ、同時に電圧オフ制御ユニット５００が起動する（ＳＴ３３）。電圧オフ制御ユニット５００が起動すると同時に、内部のセンサ５０１が起動する（ＳＴ３４）。起動したセンサ５０１は、出力が所定の条件に合致するまで外部環境を監視し（ＳＴ３５）、条件に合致した場合は、電圧オフ制御ユニット５００が信号線Ｓ５３を通して、電圧制御ユニット３００へ電源オフモード要求を行う（ＳＴ３６）。電源オフモード要求を受けた電圧制御ユニット３００では、電圧線Ｖ３２、Ｖ３５を通して、システムＬＳＩ２００および電圧オフ制御ユニット５００への供給電圧を遮断して処理が終了する（ＳＴ３７）。
【００１３】
なお、電源オフモードになった後の通常動作モードへの移行は、電圧制御ユニット３００とバッテリ４００の間に設定された図示しない電源スイッチにより行われる。
上述の例では、センサ５０１が光センサの場合について説明したが、光センサに限らず、ユーザの存在やユーザの操作環境を検出できるかぎり他のセンサ、例えば、赤外線センサ、温度センサを適用することができる。
赤外線センサでは、前述の光センサと同様に適用することが可能である。例えば携帯型情報端末機器の場合に、通常ユーザが当該機器を手に持つ部分に赤外線センサを装着し、一定時間検出された場合に電源オフモード要求を行う、といったことが可能である。
また、携帯型情報端末機器の場合、通常人間が当該機器を手に持つ部分は外気温度よりも高いと考えられる。機器の温度が非常に高い場合は、当該機器が異常発熱を起こしていることや外気温が非常に高く厳しい環境に機器が放置されていると考えることができる。従って、当該機器にセンサ５０１として温度センサを適用する場合は、スタンバイ動作モードに移行してから温度センサが例えば所定の温度（３３〜４５度）を所定時間連続して検出した場合に、電圧オフ制御ユニット５００が電源オフ要求を行う、といったことが可能である。
また、温度センサを２つ機器に用意し、１つは通常ユーザが手にする部分、もう１つは通常ユーザが触れない部分に装着した場合、それら２つの温度センサの出力の差分値が所定時間あるレベル以下であるという時には、ユーザが当該機器をもはや手にしていないと考えられるため、電源オフ要求を行うことも可能である。
【００１４】
また、上述の例では、電圧オフ制御ユニット５００は、電圧制御ユニット３００を介してバッテリ４００から給電されるとしたが、電圧オフ制御ユニット５００内部に小型バッテリを内蔵し、スタンバイ動作モード要求があったときに電圧オフ制御ユニット５００が機能するように構成してもよい。
また、上述の例では、スタンバイ動作モードへ移行するときに、システムＬＳＩ２００から信号線Ｓ２３を介した電源モード要求が電圧制御ユニット３００だけでなく電圧オフ制御ユニット５００にも送信されるとしたが、電圧制御ユニット３００だけに供給され、電圧制御ユニット３００で電圧オフ制御ユニット５００に対する電圧を制御する構成にしてもよい。
図２では、システムＬＳＩ２００から電圧制御ユニット３００への電源モード要求信号線と、電圧オフ制御ユニット５００から電圧制御ユニット３００への電源オフモード要求信号線とを別々に図示したが、システムＬＳＩ２００と電圧制御ユニット３００と電圧オフ制御ユニット５００を相互に接続した通信線により、システムＬＳＩ２００の状態に関する情報を共有するように構成してもよい。
【００１５】
第２の実施の形態
以下、本発明に係る省電力型信号処理装置の第２の実施の形態について説明する。
図４は、本発明に係る省電力型信号処理装置の第２の実施の形態を説明するための図である。
図４に例示した第２の実施の形態における省電力型信号処理装置１００は、図２で説明した第１の実施の形態における省電力型信号処理装置１００に対し、電源オフパラメータＳ＿ＰＡＲがシステムＬＳＩ２００から電圧オフ制御ユニット５００へ送信されることで異なる。
上述の省電力型信号処理装置においては、スタンバイ動作モードから電源オフモードへの移行条件を、機器のアプリケーションやユーザの操作環境に応じて設定したいということが考えられる。例えば、ユーザの操作環境温度によってスタンバイ動作モードへの移行タイミングを可変にして、温度が高い環境では通常より早く電源オフモードへ移行させたいという要求がある。第２の実施の形態は、そのような要求を実現する場合の例である。
【００１６】
図４において、電圧オフ制御ユニット５００は図示しない通信機能を備えたカスタムＩＣを有し、システムＬＳＩ２００からの電源オフパラメータＳ＿ＰＡＲを受信し当該ＩＣの内部にセットする。電圧オフ制御ユニット５００の内部では、センサ５０１から得られた外部環境の検出結果とＩＣ内部にセットされた電源オフパラメータＳ＿ＰＡＲを比較し、電源オフモードとすべきと判断した場合には、第１の実施の形態の電圧オフ制御ユニット５００同様、電圧制御ユニット３００に対して、信号線Ｓ５３により電源オフモードを要求する。
例えば、スタンバイ動作モードにおいて、センサ５０１から得られた外部環境の検出結果が所定の閾値を超えてから所定時間経過した場合に、電源オフモードとしたい要求があった場合には、その所定時間に関する情報を上記電源オフパラメータＳ＿ＰＡＲとすればよい。
なお、一度電源オフモードになった後の通常動作モードへの移行は、電圧制御ユニット３００とバッテリ４００の間に設定された図示しない電源スイッチにより行われる。
以上により、第１の実施の形態同様の効果を奏し、スタンバイ動作モードのみを有する従来の省電力型信号処理装置１と比較して、さらなる省電力効果が得られ、また、システムＬＳＩ２００側から自由に電源オフモードへの移行条件を設定できるため、機器のアプリケーションやユーザの操作環境に応じた省電力効果も得られる。
また、第１の実施の形態同様、センサ５０１はすでに述べた通り光センサを使ってもよいし、光センサに限らず、ユーザの存在やユーザの操作環境を検出できる他のセンサ、例えば、温度センサや赤外線センサを適用することも可能である。
【００１７】
第３の実施の形態
以下、本発明に係る省電力型信号処理装置の第３の実施の形態について説明する。
図５は、本発明に係る省電力型信号処理装置の第３の実施の形態を説明するための図である。
省電力型信号処理装置１１０は、システムＬＳＩ２１０と、バッテリ４１０と電圧オフ制御ユニット５１０とを有する。システムＬＳＩ２１０は、通常動作モード時機能部２１１とスタンバイ動作モード時機能部２１２とに分かれ、また、電圧制御部２１３と補助バッテリ２１４を有する。
電圧制御部２１３は、バッテリ４１０から電圧線Ｖ４３を通して供給された電圧を制御し、各部へ供給する。図示しないシステムＬＳＩ２１０内の入力処理部やタイマ等の情報に基づいて、通常動作モードからスタンバイ動作モードへ移行する判断をした場合には、電圧制御部２１３はバッテリ４１０からの給電を停止し、主電源を補助バッテリ２１４に切替えることで、スタンバイ動作モード時機能部２１２は補助バッテリ２１４から給電され機能する。通常動作モードへ復帰する場合には、電圧制御部２１３は、逆に主電源を補助バッテリ２１４からバッテリ４１０へと切り換える制御を行う。
【００１８】
また、電圧オフ制御ユニット５１０は、通常動作モード時ではバッテリ４１０から給電されないように、電圧制御部２１３で電圧制御される。従って、通常動作モード時における電圧オフ制御ユニット５１０での不要な電流消費は抑制されている。通常動作モードからスタンバイ動作モードへ移行時には、電圧オフ制御ユニット５１０は電圧線Ｖ３５を通して補助バッテリ２１４から給電されるように、電圧制御部２１３が制御を行う。
電圧オフ制御ユニット５１０は、外部環境を検出するセンサ５１１を備えており、スタンバイ動作モードにおいて、所定の条件に基づき、電源オフモードへ移行すべきと判断した場合に、電圧制御部２１３に信号線Ｓ５３を通して電源オフモードを要求する。
電圧オフ制御ユニット５１０から電源オフモード要求を受けた電圧制御部２１３は、補助バッテリ２１４からスタンバイ動作モード時機能部２１２への給電を遮断し、システムＬＳＩ２１０内は完全に機能停止する。
なお、一度電源オフモードになった後に通常動作モードへの移行は、電圧制御部２１３とバッテリ４１０の間に設定された図示しない電源スイッチにより行われる。
本実施の形態においては、電圧オフ制御ユニット５１０により電源オフモードを検出し、電圧オフ制御ユニット５１０から電源オフモード要求を受けた電圧制御部２１３が、補助バッテリ２１４からスタンバイモード時機能部２１２への給電を遮断するため、スタンバイ動作モードのみを備えた従来の省電力型信号処理装置と比較して、スタンバイ動作モード時の補助バッテリ２１４の電流消費を抑制できるという省電力効果が得られる。
【００１９】
上記の例で、第１の実施の形態同様、センサ５１１は光センサを使ってもよいし、光センサに限らず、ユーザの存在やユーザの操作環境を検出できる他のセンサ、例えば、温度センサや赤外線センサを適用することも可能である。
また、上述の例では、電圧オフ制御ユニット５１０は、電圧制御部２１３を介して補助バッテリ２１４から給電されるとしたが、電圧オフ制御ユニット５１０内部に小型バッテリを内蔵してもよい。
第２の実施の形態同様、電圧オフ制御ユニット５１０が通信機能を備えたカスタムＩＣを有し、システムＬＳＩ２１０からの電源オフパラメータを受信し当該ＩＣの内部にセットすることにより、システムＬＳＩ２１０側から自由に電源オフモードへの移行条件を設定できるように構成すれば、機器のアプリケーションやユーザの操作環境に応じた省電力効果も得られる。
【００２０】
【発明の効果】
本発明によれば、スタンバイ動作モードにさらに電源オフモードを設定したため、従来の省電力型信号処理装置がスタンバイ動作モードにおいて消費していた電流を抑制することができ、さらなる省電力効果が達成される。また、電源オフモード検出手段を有することで、機器のアプリケーションやユーザの操作環境に応じた省電力効果が得られる。
【図面の簡単な説明】
【図１】スタンバイ動作モードを用いた従来の省電力型信号処理装置のシステム構成の一例を説明するための図である。
【図２】本発明に係る省電力型信号処理装置の一の実施の形態を説明するための図である。
【図３】本発明に係る省電力型信号処理装置の一の実施の形態を説明するためのフローチャートである。
【図４】本発明に係る省電力型信号処理装置の一の実施の形態を説明するための図である。
【図５】本発明に係る省電力型信号処理装置の一の実施の形態を説明するための図である。
【符号の説明】
１…省電力型信号処理装置、２…システムＬＳＩ、２１…通常動作モード時機能部、２２…スタンバイ動作モード時機能部、３…電圧制御ユニット、４…バッテリ、１００，１１０…省電力型信号処理装置、２００，２１０…システムＬＳＩ、２０１，２１１…通常動作モード時機能部、２０２，２１２…スタンバイ動作モード時機能部、２１３…電圧制御部、２１４…補助バッテリ、３００…電圧制御ユニット、４００，４１０…バッテリ、５００，５１０…電圧オフ制御ユニット、５０１，５１１…センサ
【図１】
2005004522.tif 000003
【図２】
2005004522.tif 000004
【図３】
2005004522.tif 000005
【図４】
2005004522.tif 000006
【図５】
2005004522.tif 000007